(57)【要約】【課題】切込み深さ調整時の作業性に優れる携帯用切断機の提供。【解決手段】ハウジング２は、略矩形のベース６の上面に回動可能に支持されモータハウジングを有する。ハウジング２には、モータによって回転駆動され、ハウジング２の回動量に応じてベースの下面からの突出量が変化する略円盤状の回転刃３を備える。ハウジング２には、一端がハウジング２に回動可能に支持され他端がベース６の上面側に位置と接触し、回転刃３のベース６の下面からの突出量に連動してベース６上の他端の該とが移動する指示伸長部材４４が設けられている。の刃先ベース６上の他端は、ベース６と回転刃３の刃先との交点を指し示す。指示部材４４の他端には、指針部４４Ａが設けられており、指針部４４Ａは、ベース６の上面に設けられている目盛６３を指し示す。この数値は回転刃３のベース６の下面からの突出量と一致する。【選択図】図１
2011131539.tif 000002
【特許請求の範囲】
【請求項１】
ベースと、
該ベースの一面側に回動可能に支持されモータハウジングを有するハウジングと、
該モータハウジング内に収容されたモータと、
該ハウジングに一部が覆われ、該モータによって回転駆動され、該ハウジングの該ベースに対する回動量に応じて該ベースの他面からの突出量が変化する回転刃と、
一端が該ハウジングに回動可能に支持され他端が該ベースの該一面側に位置し、該回転刃の該ベース他面からの突出量に連動して該他端の該ベース一面側の位置が移動する指示部材を有することを特徴とする携帯用切断機。
【請求項２】
該回転刃は該ハウジングの該ベースに対する回動に応じて該ベースと交差する交差位置が変化し、該指示部材の該他端は該交差位置を指し示すように構成され、該指示部材は該他端位置と該交差位置とが該回転刃の軸方向に平行な直線上に位置するよう構成されていることを特徴とする請求項１に記載の携帯用切断機。
【請求項３】
該指示部材の該一端は、該指示部材の回動中心と該回転刃の回転中心とが一致する位置に支持されていることを特徴とする請求項１又は２に記載の携帯用切断機。
【請求項４】
該指示部材の該回転刃の径方向に沿った長さは、該回転刃の半径長さと等しいことを特徴とする請求項１から３のいずれか１項に記載の携帯用切断機。
【請求項５】
該ベースの該一面側であって該他端の位置の近傍には該回転刃の突出量を示す目盛が設けられ、該指示部材の該他端は該目盛を指し示す指針部を有することを特徴とする請求項１から４のいずれか１項に記載の携帯用切断機。
【請求項６】
該目盛は該指示部材の該他端が移動する方向と同一方向に移動可能であって、該指示部材はその伸長方向に伸縮可能であることを特徴とする請求項５に記載の携帯用切断機。
【請求項７】
該指示部材を該ベースの該一面側と接触するように付勢する付勢部材を有することを特徴とする請求項１から６のいずれか１項に記載の携帯用切断機。
【請求項８】
該モータケースは該回転刃の側面と垂直な方向に延出し、該指示部材の該一端は該回転刃の軸方向への移動が規制された状態で該モータケースに覆われていることを特徴とする請求項１から７のいずれか１項に記載の携帯用切断機。
【請求項９】
該ハウジングは、該モータハウジングと、該回転刃の一部を覆う回転刃ハウジングを有し、該指示部材の該一端は、該モータハウジングと該回転刃ハウジングとにより挟持されることで該回転刃の軸方向への移動が規制されることを特徴とする請求項１から８のいずれか１項に記載の携帯用切断機。
【発明の詳細な説明】
【技術分野】
【０００１】
本発明は携帯用切断機に関し、特に回転刃の切込み深さを調整可能な携帯用切断機に関する。
【背景技術】
【０００２】
従来から、木材等の被加工部材を切断・加工するための切断機を携帯可能とした携帯用切断機がある。この携帯用切断機は、主に回転刃と駆動装置であるモータとから構成されているため携帯性に優れていることから、工場内に限らず建設現場等において多用されている。
【０００３】
携帯用切断機で切断する被加工部材は、その厚さが多様であるため、厚い板材から薄い板材まで好適に切断できる必要がある。よって、特許文献１に示されるように、木材と当接するベースに対して回転刃が支持されるソーカバーを回動可能とし、その回動量に応じてベースからの回転刃の突出量を変更する技術が開示されている。
【先行技術文献】
【特許文献】
【０００４】
【特許文献１】特開平８−１１８３０２号公報
【発明の概要】
【発明が解決しようとする課題】
【０００５】
特許文献１に示されている携帯用切断機においては、回転刃の切り込み深さを確認するために、ベース上に目盛部が設けられている。作業者が回転刃の切り込み深さを確認するためには、回転刃のベースとの交点である刃先位置を回転刃の軸方向に沿って延長した線と目盛部との交点の数値を読む必要ある。この時、切込み深さを確認するためには、作業者は携帯用切断機を側面から見て目盛部の数値を読まなければならない。また、回転刃と被加工部材とが当接する切断位置を確認する時にも、同様に携帯用切断機を側面から見る必要があるため、作業性が悪かった。
【０００６】
そこで本発明は、作業者が容易に回転刃の切断位置及び切り込み深さを認識可能な携帯用切断機を提供することを目的とする。
【課題を解決するための手段】
【０００７】
上記課題を解決するために本発明は、略矩形のベースと、該ベースの一面側に回動可能に支持されモータハウジングを有するハウジングと、該モータハウジング内に収容されたモータと、該ハウジングに一部が覆われ、該モータによって回転駆動され、該ハウジングの該ベースに対する回動量に応じて該ベースの他面からの突出量が変化する略円盤状の回転刃と、一端が該ハウジングに回動可能に支持され他端が該ベースの該一面側に位置と接触し、該回転刃の該ベース他面からの突出量に連動して該他端の該ベースの該一面側との接触位置が移動する指示伸長部材を有する携帯用切断機を提供する。
【０００８】
また、該回転刃の刃先は該ハウジングの該ベースに対する回動に応じて該ベースと交差する交差位置が変化し、該指示伸長部材の該他端は該接触位置が該交差位置を指し示すように構成され、該指示伸長部材は該他端接触位置と該交差位置とが該回転刃の軸方向に平行な直線上に位置するよう構成されていることが好ましい。
【０００９】
指示伸長部材を回転刃のベースからの突出量に連動してベースとの接触指示部材の他端の位置が移動するように構成したことにより、回転刃のベースからの突出量が変化して回転刃の刃先の位置が変化することに連動して、指示部材の他端の位置が変化するため、刃先の位置を容易に認識することができる。また、指示部材を接触位置が回転刃の刃先とベースとの交差位置を指し示すように構成し、指示部材の他端位置と交差位置が直線状になるように構成したことにより、ベースに対してハウジングが回動し、回転刃のベースからの突出量が変化するとともに該ベース上における回転刃の刃先の位置が変化しても、指示部材の他端の接触位置を確認することで刃先の位置を容易に認識することができる。
【００１０】
また、該指示伸長部材の該一端は、該指示伸長部材の回動中心と該回転刃の回転中心とが一致する位置に支持されていることが好ましい。
【００１１】
指示伸長部材の回動中心と、回転刃の回転中心とを一致させることにより、回転刃の刃先の位置と指示伸長部材の他端接触位置とがずれることを防止することができ、正確な切断位置を常に認識することができる。
【００１２】
また、該指示部材の該回転刃の径方向に沿った長さは、該回転刃の半径長さと等しいことが好ましい。
【００１３】
指示部材の長さを回転刃の半径長さと等しくすることにより、回転刃の刃先の位置と指示部材の他端位置とがずれることを防止することができ、正確な切断位置を常に認識することができる。
【００１４】
また、該ベースの該一面側であって該他端の接触位置の近傍には該回転刃の突出量を示す目盛が設けられ、該指示伸長部材の該他端は該目盛を指し示す指針部を有することが好ましい。
【００１５】
ベース上に回転刃の突出量を示す目盛を設けるもうけるとともに、指示伸長部材に指針部を設けることにより、ベースに対してハウジングを回動させてた場合でも、指針部により指示された目盛を確認することで容易にベースからの回転刃の突出量を認識することができる。
【００１６】
また、該目盛は該指示伸長部材の該他端が移動する方向と同一方向に移動可能であって、該指示伸長部材はその伸長方向に伸縮可能であることが好ましい。
【００１７】
目盛が指示伸長部材の他端が移動する方向と同一方向に移動可能であって指示伸長部材は伸長方向に伸縮可能であることにより、外径寸法が異なる回転刃に交換した場合であっても、回転刃の寸法に応じて指示部材の他端接触位置及び目盛位置を調整することができる。従って、指示部材の他端位置を確認することで刃先の位置を容易に認識できるとともに目盛を確認することで容易にベースからの回転刃の突出量を認識することができる。
【００１８】
また、該指示伸長部材を該ベースの該一面側と接触するように付勢する付勢部材を有することが好ましい。
【００１９】
指示伸長部材は付勢部材によってベースの一面側部材側に付勢されていることにより、切断時の振動等によって指示部材の他端接触位置がずれることを防止することができる。また、携帯用切断機本体を切断時の切断進行方向前方に傾けた状態で使用した場合であっても、指示伸長部材の他一端がベースから離間することを防止できる。
【００２０】
また、該モータケースは該回転刃の側面と垂直な方向に延出し、該指示伸長部材の該一端は該回転刃の軸方向への移動が規制された状態で該モータケースに覆われていることが好ましい。
【００２１】
また、該ハウジングは、該モータハウジングと、該回転刃の一部を覆う回転刃ハウジングを有し、該指示部材の該一端は、該モータハウジングと該回転刃ハウジングとにより挟持されることで該回転刃の軸方向への移動が規制されることが好ましい。
【００２２】
指示伸長部材の一端は回転刃の軸方向への移動が規制された状態でモータケースに覆われていることにより、指示伸長部材はハウジングとモータケースとで挟まれるため、指示伸長部材の回転刃の回転軸側面と垂直な方向への移動が規制され、切断時の振動等によるずれを防止することができる。
【発明の効果】
【００２３】
以上より本発明は、作業者が容易に回転刃の切断位置及び切り込み深さを認識可能な携帯用切断機を提供することができる。
【図面の簡単な説明】
【００２４】
【図１】本発明の第１の実施形態に係る携帯用切断機の側面図。
【図２】本発明の第１の実施形態に係る携帯用切断機の平面図。
【図３】本発明の第１の実施形態に係る携帯用切断機の図１の状態における目盛部の部分拡大図。
【図４】本発明の第１の実施形態に係る携帯用切断機の切込み深さを小さくした時の側面図。
【図５】本発明の第１の実施形態に係る携帯用切断機の図４の状態における目盛部の部分拡大図。
【図６】本発明の第２の実施形態に係る携帯用切断機の平面図。
【図７】本発明の第２の実施形態に係る携帯用切断機の図６のＢ−Ｂを表す断面図。
【図８】本発明の第２の実施形態に係る携帯用切断機の指示部材を表す側面図。
【発明を実施するための形態】
【００２５】
本発明の第１の実施形態による携帯用切断機について図１から図５に基づき説明する。図１に示される携帯用切断機である丸のこ１は、ハウジング２と、回転刃３と、ベース６とから主に構成されている。なお、図１における左側を切断方向前側と定義し、右側を切断方向後側と定義する。
【００２６】
ハウジング２は、ギヤカバー４と、図示せぬモータが収容されているモータ収容部２１と、モータ収容部２１と一体のハンドル２２とから主に構成されている。またギヤカバー４内には、図示せぬモータの出力軸と係合する図示せぬ駆動系が設けられ、図示せぬ駆動系により図示せぬモータの回転力が回転刃３に伝達される。これにより、回転刃３は図１の時計回り方向に回転する。また、ギヤカバー４はベース６の上方に位置する回転刃３を覆うように構成されており、本発明の回転刃ハウジングに相当する。
【００２７】
図１に示されるように、ハンドル２２には、図示せぬモータの駆動を制御するスイッチ２２Ａが設けられている。ハンドル２２の切断方向後側下方には図示せぬケーブルが設けられ、図示せぬ電源と接続可能である。スイッチ２２Ａの押下により図示せぬモータに図示せぬ電源から電気が供給される。
【００２８】
図１及び図２に示すように、モータ収容部２１はギヤカバー４から回転刃３の軸方向に延出し、ハンドル２２はギヤカバー４から上方に延出している。ギヤカバー４には、後述する集塵ボックス７を着脱可能に保持する一対の蝶ボルト４１が設けられている。一対の蝶ボルト４１は、回転刃３の軸方向から見てギヤカバー４の周縁であって切断方向前側と切断方向後側にそれぞれ設けられている。切断方向後側に位置する蝶ボルト４１の下方であって、モータ収容部２１の下面と略水平な位置に調整部４２が設けられている。調整部４２は回動可能なレバー４２Ａを有している。ギヤカバー４の切断方向前側下部には連結部４３が設けられている。
【００２９】
ギヤカバー４には、ギヤカバー４とモータ収容部２１とに挟まれるように指示部材４４が設けられている。これにより、指示部材４４の回転刃３の軸方向における移動が規制されている。指示部材４４の一端はギヤカバー４に回動可能に支持され、その回動中心は回転刃３の回転中心と一致している。指示部材４４の他端は指針部４４Ａを有し、指針部４４Ａはベース６と接触していて、後述する目盛部６３を指示する。指示部材４４は、バネ４５によって図１の反時計回り方向に付勢されている。これにより、指針部４４Ａとベース６との接触が維持される。指示部材４４の回動中心から指針部４４Ａまでの回転刃３の半径方向に沿った長さは、回転刃３の半径長さと一致している。指示部材４４のベース６との接触位置と、回転刃３のベース６との交差位置とは、回転刃３の軸方向に平行な直線上に位置するように構成されている。
【００３０】
ギヤカバー４には、セーフティカバー４６が回転刃３の円周方向に回動可能に設けられている。ギヤカバー４とセーフティカバー４６との間には図示せぬバネが存在しており、セーフティカバー４６を回転刃３の回転方向（図１の時計回り方向）に付勢している。切断作業を行っていない状態では、セーフティカバー４６は、ベース６の下面から露出した回転刃３の大部分を覆っている。従ってセーフティカバー４６の切断方向前側先端部分には、回転刃３が露出するところが形成される。そして、この露出する部分が被加工部材８を切断する切断位置となって、切断方向に向けて丸のこ１は切り進んでいく。切断位置は、回転刃３のベース６との交差位置と一致している。つまり、指針部４４Ａは切断位置を示している。
【００３１】
集塵ボックス７は、回転刃３の軸方向であってモータ収容部２１が設けられている側とは反対側に着脱可能に設けられている。集塵ボックス７は、一対の蝶ボルト４１によってギヤカバー４に固定されており、蝶ボルト４１を緩めることによってギヤカバー４から取り外すことができる。集塵ボックス７には図示せぬ貫通孔が形成されており、当該貫通孔によって集塵ボックス７内とギヤカバー４によって形成された回転刃３の上半分を覆う空間（回転刃ハウジング）とを連通している。これにより、被加工物切断時に発生する切粉を集塵ボックス７内に集塵することができる。
【００３２】
ベース６は、ベース上面６Ａとベース下面６Ｂとを有している。ベース上面６Ａには、回動支持部６１と、リンク６２と、目盛部６３とが設けられている。ベース６の略中央部には図示せぬ略長方形の挿通孔が形成されており、回転刃３およびセーフティカバー４６が挿通可能である。図１に示すように、回転刃３は図示せぬ挿通孔を通ってベース下面６Ｂから突出している。この回転刃３のベース下面６Ｂからの突出量を切込み深さＬとする。回動支持部６１は、連結部４３を軸支しており、回転刃３及びハウジング２は連結部４３を中心にベース６に対して回動可能である。
【００３３】
リンク６２は円弧形状をなし、ベース上面６Ａの切断方向後側に直立して配置されている。リンク６２には、円弧状の長孔６２ａが形成されている。長孔６２ａの円弧の中心とリンク６２の円弧の中心は同一である。調整部４２は、長孔６２ａに沿って移動可能である。回転刃３及びハウジング２の回動に伴い、調整部４２はリンク６２の長孔６２ａ内を移動する。レバー４２Ａを回すことにより、調整部４２の長孔６２ａ内での位置が固定され回転刃３及びハウジング２のベース６に対する相対位置が固定される。すなはち、ベース下面６Ｂからの回転刃３の突出量（切込み深さ）を調整することができる。
【００３４】
目盛部６３は、ベース上面６Ａの指針部４４Ａが接触する位置の近傍に設けられている。目盛部６３には、指針部４４Ａによって示された数値が切込み深さＬと一致するように数値が付されている。本実施例では、０から１０刻みに６０まで目盛が付され、最大値は６４となっている。
【００３５】
ベース上面６Ａの切断方向前側には略三角形をなす確認孔６ａが形成されている。確認孔６ａはベース６を貫通しており、確認孔６ａによって被加工部材８上の切断箇所を示すスミ線を確認することができる。ベース６の確認孔６ａの切断方向前側の縁には、確認切欠６ｂが形成されている。確認切欠６ｂと回転刃３とは、切断方向において並んでいる。作業者は、確認切欠６ｂの位置により回転刃３の位置を確認することができる。
【００３６】
次に、図１に示す回転刃３の切込み深さＬを図４に示す切込み深さＬ’に調整する方法について説明する。
【００３７】
図３に示すように、図１の状態では指針部４４Ａは目盛部６３の「６４」を示しており、切込み深さＬは最大の６４mmとなっている。このとき、調整部４２は長孔６２ａの下端部に位置している。レバー４２Ａを回すことによりベース６に対するハウジング２及び回転刃３の固定を解除する。これにより、ハウジング２及び回転刃３は連結部４３を中心に回動可能となる。この状態で、リンク６２に沿って、図４に示す位置までハウジング２を反時計回り方向に回転させる。
【００３８】
この回動に伴い、バネ４５の付勢力によって指針部４４Ａも切断方向後側に移動する。この移動中も指針部４４Ａと、回転刃３のベース６（ベース上面６Ａ）との交差位置とは、常に回転刃３の軸方向に平行な直線上に位置している。つまり、指針部４４Ａは常に切断位置（回転刃３の刃先位置）を示している。そして指針部４４Ａが所望の切込み深さＬ’に到達したら、レバー４２Ａを回してハウジング２及び回転刃３の位置を固定する。この状態において、図５に示すように、このとき指針部４４Ａは目盛部６３の切込み深さＬ’に相当する数値「４０」を示している。同時に、指針部４４Ａは切断方向における切断位置も示している。
【００３９】
上記のように、指示伸長部材４４を回転刃３のベース下面６Ｂからの突出量に連動させ、ベースとの接触指針部４４Ａの位置を移動させることにより、接触位置が回転刃３の刃先とベース６との交差位置を指し示すように構成した。これにより、ベース６に対してハウジング２が回動し、回転刃３のベース下面６Ｂからの突出量が変化するとともに該ベース上における回転刃３の切断位置が変化しても、指針部４４Ａの接触位置を確認することで切断位置（回転刃３の刃先位置）を容易に認識することができる。
【００４０】
指示伸長部材４４の回動中心と、回転刃３の回転中心とを一致させることにより、切込み深さを変更しても切断位置（刃先位置）と指針部４４Ａとがずれることを防止することができ、正確な切断位置を常に認識することができる。
【００４１】
指示部材４４の回動中心から指針部４４Ａまで回転刃３の半径方向に沿った長さを回転刃３の半径長さと等しくすることにより、切込み深さを変更しても切断位置と指針部４４Ａとの位置がずれることを防止することができ、正確な切断位置を常に認識することができる。
【００４２】
ベース上面６Ａ上に回転刃３の切込み深さを示す目盛部６３を設けるもうけるとともに、指示伸長部材４４に指針部４４Ａを設けることにより、ベース６に対してハウジング２を回動させてた場合でも、指針部４４Ａにより指示された目盛を確認することで容易にベース６からの回転刃３の切込み深さを認識することができると共に、回転刃３の刃先位置を容易に確認することができる。
【００４３】
指示伸長部材４４はバネ４５によってベース上面６Ａ部材側に付勢されていることにより、切断時の振動等によって指針部４４Ａがずれることを防止することができる。また、丸のこ１を切断時の切断進行方向前方に傾けた状態で使用した場合であっても、指針部４４Ａがベース６から離間することを防止できる。
【００４４】
指示伸長部材４４はギヤカバー４ハウジング２（モータ収容部２１）とで挟まれるため、指示伸長部材４４の回転刃３の回転軸側面と垂直な方向への移動が規制され、切断時の振動等によるずれを防止することができる。また、指示部材４４はハウジング２に覆われた構成であるため、切断時の振動等による回転刃３の回転軸方向へのずれを防止することができると共に、指示部材４４への切粉の付着を防止することができ、指示部材４４は常に良好な回動性を有することができる。
【００４５】
次に図６〜図８に基づいて本発明の第２の実施形態について説明する。第１の実施形態と同一の構成は、同一の符号を付して説明を省略する。
【００４６】
図６及び図７に示すように、ベース６上には目盛部２６３が設けられている。目盛部２６３の切断方向前側には、貫通孔２６３ａが形成されている。目盛部２６３はネジ２６４によってベース上面６Ａに固定されている。貫通孔２６３ａはネジ２６４の直径よりも大きく形成されており、目盛部２６３はベース６上を僅かに移動可能である。ここで、目盛部２６３とベース６とには図示せぬガイドが設けられており、目盛部２６３は切断方向にのみ移動することができる。
【００４７】
図８に示すように、指示部材２４４は第１指示部材２４７と第２指示部材２４８とにより構成される。第１指示部材２４７は、その一端部がギヤカバー４とモータ収容部２１とに挟まれており、その一端がギヤカバー４に対して回動可能に支持されている。第１指示部材２４７の回動中心近傍には、バネ４５が取付けられている。第１指示部材２４７の他端には、貫通孔２４７ａが形成されている。
【００４８】
図８に示すように、第２指示部材２４８は一端が断面形状Ｌ字状に構成され、その先端部分には係合孔２４８ａが形成されている。係合孔２４８ａには雌ネジが形成されている。第１指示部材２４７の他端側の端面と第２指示部材２４８のＬ字状断面の端面と対向する面との間には隙間２４４ａが形成されている。第２指示部材２４８の他端には指針部２４４Ａが設けられていて、ベース上面６Ａと接触している。第１指示部材２４７と第２指示部材２４８とは、貫通孔２４７ａ及び係合孔２４８ａを通るネジ２４９によって係止されている。貫通孔２４７ａはネジ２４９の直径よりも大きく形成されていて、第２指示部材２４８は第１指示部材２４７に対して僅かに移動可能（伸縮可能）である。第１指示部材２４７と第２指示部材２４８とには、図示せぬガイドが設けられており、第２指示部材２４８は第１指示部材２４７に対して回転刃３の半径方向（指示部材２４４の伸長方向）にのみ移動することができる。指示部材２４４を回転刃３の半径方向に伸縮することにより、指針部２４４Ａとベース上面６Ａとの接触位置を調整することができる。
【００４９】
回転刃３を外径の異なるものに交換した場合には、作業者は切断位置と指針部２４４Ａとが回転刃３の軸方向と平行な方向において一致するように指示部材２４４の半径方向の長さを調整する。そして、その時の切込み深さＬを実測し、指針部２４４Ａがその切込み深さを示す位置まで目盛部２６３を調整する。
【００５０】
目盛部２６３は指針部２４４Ａが移動する方向と同一方向に移動可能であって、指示伸長部材２４４は回転刃３の半径方向に伸縮可能であることにより、外径寸法が異なる回転刃３に交換した場合であっても、回転刃３の寸法に応じて接触指針部２４４Ａの位置及び目盛部２６３の位置を調整することができる。従って、指針部２４４Ａの位置を確認することで切断位置を容易に認識できるとともに目盛部２６３を確認することで容易にベース６からの回転刃３の切込み深さＬを認識することができる。
【００５１】
尚、本発明の携帯用切断機は、上記した実施の形態に限定されず、特許請求の範囲内において種々変更を加え得ることは勿論である。上記実施例では指示部材４４、２４４の他端である指針部４４Ａ、２４４Ａはベース６に接触していたが、例えば目盛部６３，２６３やその他の部材に接触していても良い。また、指針部４４Ａ、２４４Ａがベース上面６Ａ上の目盛部６３，２６３上の目盛近傍に位置するような構造であればよい。
【符号の説明】
【００５２】
１・・丸のこ  ２・・ハウジング  ２１・・モータ収容部  ３・・回転刃  ４・・ギヤカバー  ４４・・指示部材  ４４Ａ・・指針部  ４５・・バネ  ４６・・セーフティカバー  ６・・ベース  ６３・・目盛部  ７・・集塵ボックス  ２４４・・指示部材  ２４４Ａ・・指針部  
【図１】
2011131539.tif 000003
【図２】
2011131539.tif 000004
【図３】
2011131539.tif 000005
【図４】
2011131539.tif 000006
【図５】
2011131539.tif 000007
【図６】
2011131539.tif 000008
【図７】
2011131539.tif 000009
【図８】
2011131539.tif 000010